(57)【要約】  本発明は、同軸ケーブルへ組み付けるための同軸コネクタに関するものであり、同軸コネクタは内部導体部分（２８）と、外部導体部分（２９）と、内部導体部分（２８）を挿通させるための軸方向の貫通孔（１２）を備える絶縁部分（１０）とを有している。
2008543005.tif 000002
【特許請求の範囲】
【請求項１】
同軸ケーブルへ組み付けるための同軸コネクタであって、前記同軸コネクタは内部導体部分（２８）と、外部導体部分（２９）と、前記内部導体部分（２８）を挿通させるための軸方向の貫通孔（１２）を備える絶縁部分（１０）とを有している同軸コネクタにおいて、
前記内部導体部分（２８）はその円周に、円周方向で均等に互いに間隔をおいている、Ｎ≧２であるＮ個の係止フック（３０）を有しており、前記貫通孔（１２）には、前記貫通孔（１２）を軸方向で第１の直径をもつ第１の区域（２０）と前記第１の直径よりも大きい第２の直径をもつ第２の区域（２２）とに分けるエッジ部（１８）が形成されており、前記係止フック（３０）の外面によってそのそれぞれの最大の半径方向隆起部で定義される前記内部導体部分（２８）の外周よりも、前記第１の直径は小さくかつ前記第２の直径は大きくなっており、さらに前記絶縁部分（１０）はその円周にｎ≧１である２ｎ＋（Ｎ−１）個の切欠き（１４）を有し、前記切り欠きは、円周方向で均等に互いに間隔をおき、軸方向で前記貫通孔（１２）の前記第１の区域（２０）と前記第２の区域（２２）とのそれぞれ両方に重なり、前記貫通孔（１２）の壁部が各々の前記切欠き（１４）の領域で半径方向外側に向って弾性的に撓曲可能であるように構成されていることを特徴とする同軸コネクタ。
【請求項２】
前記貫通孔の前記エッジ部（１８）は半径方向に周回するように構成されていることを特徴とする、請求項１に記載の同軸コネクタ。
【請求項３】
各々の前記係止フック（３０）は、前記絶縁部分（１０）への前記内部導体部分（２８）の差込方向で見て、前記係止フック（３０）の最大の半径方向隆起部から半径方向内側に向って下がっていく傾斜した面（３６）を備えていることを特徴とする、請求項１または２に記載の同軸コネクタ。
【請求項４】
前記傾斜した面（３６）は前記内部導体部分（２８）の外径に至るまで半径方向に下がっていくことを特徴とする、請求項３に記載の同軸コネクタ。
【請求項５】
小さい直径をもつ前記貫通孔（１２）の前記第１の区域（２０）は前記エッジ部と反対を向いているほうの端部（２４）でテーパ状に拡張するように構成されていることを特徴とする、前記請求項のうち少なくとも１項に記載の同軸コネクタ。
【請求項６】
すべての前記係止フック（３０）は、前記内部導体部分（２８）の円周で前記内部導体部分（２８）の軸方向の長軸に対して垂直な面に配置されていることを特徴とする、前記請求項のうち少なくとも１項に記載の同軸コネクタ。
【発明の詳細な説明】
【技術分野】
【０００１】
本発明は、請求項１の前提項に記載されている同軸ケーブルへ組み付けるための同軸コネクタに関するものであり、同軸コネクタは内部導体部分と、外部導体部分と、内部導体部分を挿通させるための軸方向の貫通孔を備える絶縁部分とを有している。
【背景技術】
【０００２】
同軸ケーブルをたとえば配線板の電子回路などと接続するためには、同軸ケーブルの端部に同軸コネクタを組み付けるのが普通である。同軸コネクタは、通常、内部導体部分、外部導体部分、および絶縁部分を含んでいる。組付けの方法については種々の取組みがある。たとえば内部導体部分がまず差込側の端部から絶縁部分へ押し込まれ、その後で初めて、相応して露出している同軸ケーブルの内部導体と接続される。このことは、内部導体部分の外径と絶縁部分の内径との間の直径比からしばしば必要となる。絶縁部分の同軸ケーブル側の端部へ内部導体部分を押し込むことが不可能なためである。
【０００３】
その一方で、組付けを簡素化するためには、まず内部導体部分を同軸ケーブルの内部導体に取り付け、その後で初めて絶縁部分を差込側の端部から内部導体部分の上に押し込むほうが望ましい。しかし、その場合にはいっそう大きな困難が生じる。内部導体部分と絶縁部分とが、軸方向で相互に固定されなくてはならないからである。
【発明の開示】
【発明が解決しようとする課題】
【０００４】
本発明の課題は、上述した種類の同軸コネクタを、同軸ケーブルへの組付けに関して改良することにある。
【課題を解決するための手段】
【０００５】
この課題は本発明によると、請求項１の特徴部分に記載された構成要件を備える、上述した種類の同軸コネクタによって解決される。本発明の有利な実施形態はその他の請求項に記載されている。
【０００６】
上述した種類の同軸コネクタにおいて、本発明によると、内部導体部分はその円周に、円周方向で均等に互いに間隔をおいている、Ｎ≧２であるＮ個の係止フックを有しており、貫通孔には、貫通孔を軸方向で第１の直径をもつ第１の区域と第１の直径よりも大きい第２の直径をもつ第２の区域とに分けるエッジ部が形成されており、係止フックの外面によってそのそれぞれの最大の半径方向隆起部で定義される内部導体部分の外周よりも、第１の直径は小さく、かつ第２の直径は大きくなっており、さらに絶縁部分はその円周に、ｎ≧１である２ｎ＋（Ｎ−１）個の切欠きを有し、この切り欠きは、円周方向で均等に互いに間隔をおき、軸方向で貫通孔の第１の区域と第２の区域とのそれぞれ両方に重なり、貫通孔の壁部が各々の切欠きの領域で半径方向外側に向って弾性的に撓曲可能であるように構成されていることが意図される。
【０００７】
このことは、絶縁部分の貫通孔へ内部導体部分を差し込むときに、内部導体部分の少なくとも１つの係止フックが切欠きの領域、すなわち貫通孔の弾性的に撓曲可能な壁部の領域に常に位置するという利点を有しており、それにより、より小さい第１の直径をもつ第１の区域の側から、わずかな力の消費で内部導体部分を絶縁部分へ差込可能であり、それと同時に係止フックと貫通孔のエッジ部との協働作用により、絶縁部分からの内部導体部分の引き抜きに対しては高い保持力を生起することができる。このように、組付け工程を容易にする低い差込力が、高い抑止力と組み合わされている。
【０００８】
貫通孔のエッジ部は半径方向に周回するように構成されているのが好都合である。
【０００９】
絶縁部分への内部導体部分の差込をサポートするために、各々の係止フックは、絶縁部分への内部導体部分の差込方向で見て、係止フックの最大の半径方向隆起部から半径方向内側に向って、好ましくは内部導体部分の外径に至るまで下がっていく傾斜した面を備えている。
【００１０】
小さい直径をもつ貫通孔の第１の区域がエッジ部と反対を向いているほうの端部でテーパ状に拡張するように構成されることによって、貫通孔への内部導体部分の差込が、貫通孔の壁部を撓曲させながらサポートされ、それによって低い差込力となる。
【００１１】
すべての係止フックが、内部導体部分の円周で内部導体部分の軸方向の長軸に対して垂直な面に配置されているのが好都合である。
【発明を実施するための最良の形態】
【００１２】
図１から図４に見られる本発明による同軸コネクタの有利な実施形態は、絶縁部分１０と、内部導体部分２８と、外部導体部分２９とを含んでいる。絶縁部分１０は、同軸ケーブル側の端部２４と、差込側の端部２６とを含んでいる。内部導体部分２８は、同軸ケーブル側の端部３２と差込側の端部３４とを含んでいる。
【００１３】
絶縁部分１０は、同軸コネクタの内部導体部分２８を挿通させるための貫通孔１２を備えるブッシュ形状で構成されており、その円周に、均等に互いに間隔をあけた３つの切欠き１４を含んでいる。これらの切欠きは、貫通孔１２の壁部が切欠き１４の領域で半径方向外側に向って弾性的に撓曲可能であるように構成されている。絶縁部分１０はそれぞれの切欠き１４の間に、外部導体部分２９と噛み合って、外部導体部分２９と絶縁部分１０とを相互に軸方向に固定する係止部を生じさせる隆起部１６を備えている。
【００１４】
特に図３を見ると明らかなように、絶縁部分１０の貫通孔１２はエッジ部１８によって、第１の直径をもつ第１の区域２０と、第１の直径よりも大きい第２の直径をもつ第２の区域２２とに分かれている。第１の区域２０は、エッジ部１８と反対を向いているほうの端部が漏斗状に拡張するように構成されている。第１の区域２０を備えている絶縁部分１０の端部２４は、組付け状態のときに同軸ケーブルのほうを向く同軸ケーブル側の端部２４を形成する。第２の区域２２を備えている絶縁部分１０の端部２６は、組付け状態のときに、符合する相補的なコネクタへ差込可能な同軸ケーブルの自由端をなす差込側の端部２６を形成する。
【００１５】
本発明による同軸コネクタの内部導体部分２８は、その外周に、円周方向で均等に互いに間隔をあけるように、すなわち向かい合うように構成された２つの係止フック３０を含んでいる。各々の係止フック３０は内部導体部分２８の外周から半径方向に隆起しており、最大の半径方向隆起部を起点として、内部導体部分２８の同軸ケーブル側の端部３２の方向へは急激に下がっていき、内部導体部分２８の差込側の端部３４の方向へは、傾斜した面３６によって内部導体部分２８の外周に至るまで低い角度で下がっていく。
【００１６】
絶縁部分１０の貫通孔１２の第１の区域２０における第１の直径は、係止フック３０の外側の面によってそのそれぞれの最大の半径方向隆起部で形成される内部導体部分２８の外径よりも小さく構成されている。一方、絶縁部分１０の貫通孔１２の第２の区域２２における第２の直径は、係止フック３０の最大の半径方向隆起部の領域における内部導体部分２８の前述した外径よりも大きく構成されている。それにより、全体として、係止フック３０とエッジ部１８との協働作用によって、内部導体部分２８を絶縁部分１０に対して相対的に軸方向で固定する係止機構またはロック機構が得られる。
【００１７】
このように内部導体部分２８は偶数個の係止フック３０を含んでおり、それに対して絶縁部分１０は奇数個の切欠き１４を有しており、切欠き１４の個数は係止フック３０の個数より少なくとも１つだけ多い。一方の係止フック３０と他方の切欠き１４は円周方向でそれぞれ均等に互いに間隔をおいているので、絶縁部分１０の同軸ケーブル側の端部２４へ内部導体部分２８を差し込むとき、絶縁部分１０に対して相対的な内部導体部分２８の位置またはアライメントに関わりなく、円周方向で常に内部導体部分２８の少なくとも１つの係止フック３０が絶縁部分１０の切欠き１４の領域に位置するという特別な状況が生じる。奇数個の係止フック３０と偶数個の切欠き１４が設けられており、切欠き１４の個数が係止フック３０の個数より少なくとも１つだけ多いことによっても、これと同じ状況を実現できることは当然である。
【００１８】
図３と図４は、内部導体部分２８が絶縁部分１０へ差し込まれるプロセスを示している。係止フック３０の一方が、絶縁部分１０の外周の切欠き１４の領域にあり、それにより、貫通孔１２の第１の区域２０の漏斗状の構成と、係止フック３０の傾斜した面３６とによってサポートされながら、絶縁部分１０の貫通孔１２の壁部は弾性的に半径方向外側に向って湾曲し、それにより、係止フック３０は貫通孔１２の狭い第１の区域２０を通過することができる。係止フック３０がエッジ部１８に達するとすぐに、絶縁部分１０の貫通孔１２の壁部は弾性復帰し、エッジ部１８は、絶縁部分１０の同軸ケーブル側の端部の方向へ内部導体部分２８が軸方向に引き戻されるのを防ぐ。本発明に基づく切欠き１４と係止フック３０との配置によって、絶縁部分１０の同軸ケーブル側の端部２４へ内部導体部分２８を挿通させるには、わずかな力の消費しか必要ない。しかしそれとは逆に、エッジ部１８の急傾斜の側面と係止フック３０との協働作用によって、内部導体部分２８を再び絶縁部分１０の同軸ケーブル側の端部２４の方向へ引き抜くには、きわめて大きな力が必要になるはずである。このように、低い組付け力で、軸方向における高い保持力が確保されている。
【図面の簡単な説明】
【００１９】
【図１】本発明による同軸コネクタの好ましい実施形態を示す分解図
【図２】図１の同軸コネクタを示す別の分解図
【図３】内部導体部分が部分的に差し込まれた図１の同軸コネクタを示す断面図
【図４】内部導体部分が完全に差し込まれた図１の同軸コネクタを示す断面図
【図１】
2008543005.tif 000003
【図２】
2008543005.tif 000004
【図３】
2008543005.tif 000005
【図４】
2008543005.tif 000006
【国際調査報告】
2008543005.tif 000007
2008543005.tif 000008
2008543005.tif 000009
2008543005.tif 000010